(57)【特許請求の範囲】
【請求項１】
複数の配線板側端子部を有するプリント配線板を通電検査するのに用いられる検査治具であって、
前記プリント配線板を検査位置に保持するための保持手段と、前記検査位置に保持された前記プリント配線板の片面に対向して配設された第１支持手段と、前記第１支持手段を前記プリント配線板の片面に近接及び離隔する方向に往復移動させる第１移動機構と、前記検査位置に保持された前記プリント配線板の一側部に対向して配設された第２支持手段と、前記第２支持手段を前記プリント配線板の一側部に近接及び離隔する方向に往復移動させる第２移動機構と、前記第１支持手段の前記プリント配線板の片面に近接する方向への移動を前記第２支持手段の前記プリント配線板の一側部に近接する方向への移動に連動させる連動機構と、を備え、前記第１支持手段には、前記プリント配線板の片面に設けられた第１配線板側端子部に対応する第１治具側端子部が支持され、また前記第２支持手段には、前記プリント配線板の一側部に設けられた第２配線板側端子部に対応する第２治具側端子部が支持されており、
前記第１支持手段が前記プリント配線板の片面に近接する方向に移動すると、これに連動して前記第２支持手段が前記プリント配線板の一側部に近接する方向に移動し、これにより前記第１支持手段の前記第１治具側端子部が前記プリント配線板の前記第１配線板側端子部に電気的に接続されるとともに、前記第２支持手段の前記第２治具側端子部が前記プリント配線板の前記第２配線板側端子部に電気的に接続されることを特徴とする検査治具。
【請求項２】
前記連動機構は、前記第１支持手段に設けられた押圧部材と、前記第２支持手段に回転自在に設けられたローラ部材と、を有し、前記押圧部材には、前記第１支持手段の移動方向に対して傾斜する傾斜面が形成され、
前記第１支持手段が前記プリント配線板の片面に近接する方向に移動すると、前記押圧部材の前記傾斜面が前記ローラ部材を前記プリント配線板の一側部に近接する方向に押圧し、これにより前記第２支持手段が前記プリント配線板の一側部に近接する方向に移動することを特徴とする請求項１に記載の検査治具。
【請求項３】
前記第１支持手段には、前記第２治具側端子部と前記第２配線板側端子部との電気的接続の解除を補助するための解除補助部材が設けられ、前記解除補助部材には、前記第１支持手段の移動方向に対して傾斜する傾斜面が形成され、
前記第１支持手段が前記プリント配線板の片面より離隔する方向に移動すると、前記解除補助部材の前記傾斜面が前記ローラ部材を前記プリント配線板の一側部より離隔する方向に押圧し、これにより前記第２支持手段の前記第２治具側端子部と前記プリント配線板の前記第２配線板側端子部との電気的接続が解除されることを特徴とする請求項２に記載の検査治具。
【請求項４】
前記第２支持手段に関連して、前記第２支持手段を前記プリント配線板の一側部より離隔する方向に弾性的に偏倚する弾性偏倚手段が設けられていることを特徴とする請求項１〜３のいずれかに記載の検査治具。
【請求項５】
前記保持手段は、前記プリント配線板を前記検査位置に保持する保持位置と、前記プリント配線板を前記検査位置から引き出す保持解除位置との間を往復移動自在に構成されていることを特徴とする請求項１〜４のいずれかに記載の検査治具。
【請求項６】
前記保持手段に関連して、前記検査位置に保持された前記プリント配線板の一側端部に対向して配設された第３支持手段を更に備え、前記第３支持手段には、前記プリント配線板の一側端部に設けられた第３配線板側端子部に対応する第３治具側端子部が支持されており、
前記保持手段が前記保持解除位置から前記保持位置に移動すると、前記プリント配線板の前記第３配線側端子部が前記第３支持手段の前記第３治具側端子部に電気的に接続されることを特徴とする請求項５に記載の検査治具。
【請求項７】
前記保持手段には、前記プリント配線板の他面に対向して配設された第４支持手段が設けられ、前記第４支持手段には、前記プリント配線板の他面に設けられた第４配線板側端子部に対応する第４治具側端子部が支持されており、
前記プリント配線板を前記保持手段に保持させると、前記プリント配線板の前記第４配線板側端子部が前記第４支持手段の前記第４治具側端子部に電気的に接続されることを特徴とする請求項６に記載の検査治具。
【請求項８】
前記第１支持手段に関連して、前記第１支持手段の前記プリント配線板の片面に近接する方向への移動を阻止するための移動阻止機構が設けられ、前記移動阻止機構は、前記保持手段に設けられたロック部材と、前記第１支持手段に設けられた凹部又は開口部と、を有し、前記ロック部材は、前記保持手段から前記第１支持手段に向けて延びており、
前記保持手段が前記保持位置に位置付けられると、前記ロック部材の先端部が前記第１支持手段の前記凹部又は開口部に挿通可能となり、これにより前記第１支持手段の前記プリント配線板の片面に近接する方向への移動が許容され、また前記保持手段が前記保持位置から前記保持解除位置に向けて移動すると、前記ロック部材の先端部が前記第１支持手段の下面に対向され、これにより前記第１支持手段の前記プリント配線板の片面に近接する方向への移動が阻止されることを特徴とする請求項５〜７のいずれかに記載の検査治具。
【発明の詳細な説明】
【技術分野】
【０００１】
本発明は、複数の配線板側端子部を有するプリント配線板を通電検査するのに用いられる検査治具に関する。
【背景技術】
【０００２】
例えば液晶テレビ等の電子機器等には、制御回路等が実装されたプリント配線板が搭載されている。プリント配線板には、例えばコネクタソケットやピンソケット等の配線板側端子部が複数設けられている。これら複数の配線板側端子部には、例えば電子機器の内部に搭載されたドライブユニット等のコネクタプラグやプローブピン等の端子部が電気的に接続される。
【０００３】
プリント配線板の製造工程においては、プリント配線板が正常に動作するかを検査する通電検査が行われる。この通電検査には、例えば特許文献１に示すような検査治具が用いられる。従来の検査治具は通電検査装置を備え、この通電検査装置には、例えばコネクタプラグやプローブピン等の治具側端子部が複数設けられている。通電検査を行う際には、検査治具の複数の治具側端子部をそれぞれ対応するプリント配線板の複数の配線板側端子部に電気的に接続し、通電検査装置からの電気信号をプリント配線板に供給する。
【先行技術文献】
【特許文献】
【０００４】
【特許文献１】特開平６−１１２６９９号公報
【発明の概要】
【発明が解決しようとする課題】
【０００５】
しかしながら、上述した従来の検査治具では、次のような問題がある。治具側端子部と配線板側端子部との電気的接続作業は、検査員等によって手作業で行われている。一般に、プリント配線板の配線板側端子部の設置個数は、例えば十数個〜数十個程度と比較的多いため、上述した電気的接続作業に要する時間が増大してしまう。そのため、プリント配線板の通電検査を効率良く行うことができないという問題がある。
【０００６】
本発明の目的は、プリント配線板の通電検査を効率良く行うことができる検査治具を提供することである。
【課題を解決するための手段】
【０００７】
本発明の請求項１に記載の検査治具では、複数の配線板側端子部を有するプリント配線板を通電検査するのに用いられる検査治具であって、
前記プリント配線板を検査位置に保持するための保持手段と、前記検査位置に保持された前記プリント配線板の片面に対向して配設された第１支持手段と、前記第１支持手段を前記プリント配線板の片面に近接及び離隔する方向に往復移動させる第１移動機構と、前記検査位置に保持された前記プリント配線板の一側部に対向して配設された第２支持手段と、前記第２支持手段を前記プリント配線板の一側部に近接及び離隔する方向に往復移動させる第２移動機構と、前記第１支持手段の前記プリント配線板の片面に近接する方向への移動を前記第２支持手段の前記プリント配線板の一側部に近接する方向への移動に連動させる連動機構と、を備え、前記第１支持手段には、前記プリント配線板の片面に設けられた第１配線板側端子部に対応する第１治具側端子部が支持され、また前記第２支持手段には、前記プリント配線板の一側部に設けられた第２配線板側端子部に対応する第２治具側端子部が支持されており、
前記第１支持手段が前記プリント配線板の片面に近接する方向に移動すると、これに連動して前記第２支持手段が前記プリント配線板の一側部に近接する方向に移動し、これにより前記第１支持手段の前記第１治具側端子部が前記プリント配線板の前記第１配線板側端子部に電気的に接続されるとともに、前記第２支持手段の前記第２治具側端子部が前記プリント配線板の前記第２配線板側端子部に電気的に接続されることを特徴とする。
【０００８】
また、本発明の請求項２に記載の検査治具では、前記連動機構は、前記第１支持手段に設けられた押圧部材と、前記第２支持手段に回転自在に設けられたローラ部材と、を有し、前記押圧部材には、前記第１支持手段の移動方向に対して傾斜する傾斜面が形成され、
前記第１支持手段が前記プリント配線板の片面に近接する方向に移動すると、前記押圧部材の前記傾斜面が前記ローラ部材を前記プリント配線板の一側部に近接する方向に押圧し、これにより前記第２支持手段が前記プリント配線板の一側部に近接する方向に移動することを特徴とする。
【０００９】
また、本発明の請求項３に記載の検査治具では、前記第１支持手段には、前記第２治具側端子部と前記第２配線板側端子部との電気的接続の解除を補助するための解除補助部材が設けられ、前記解除補助部材には、前記第１支持手段の移動方向に対して傾斜する傾斜面が形成され、
前記第１支持手段が前記プリント配線板の片面より離隔する方向に移動すると、前記解除補助部材の前記傾斜面が前記ローラ部材を前記プリント配線板の一側部より離隔する方向に押圧し、これにより前記第２支持手段の前記第２治具側端子部と前記プリント配線板の前記第２配線板側端子部との電気的接続が解除されることを特徴とする。
【００１０】
また、本発明の請求項４に記載の検査治具では、前記第２支持手段に関連して、前記第２支持手段を前記プリント配線板の一側部より離隔する方向に弾性的に偏倚する弾性偏倚手段が設けられていることを特徴とする。
【００１１】
また、本発明の請求項５に記載の検査治具では、前記保持手段は、前記プリント配線板を前記検査位置に保持する保持位置と、前記プリント配線板を前記検査位置から引き出す保持解除位置との間を往復移動自在に構成されていることを特徴とする。
【００１２】
また、本発明の請求項６に記載の検査治具では、前記保持手段に関連して、前記検査位置に保持された前記プリント配線板の一側端部に対向して配設された第３支持手段を更に備え、前記第３支持手段には、前記プリント配線板の一側端部に設けられた第３配線板側端子部に対応する第３治具側端子部が支持されており、
前記保持手段が前記保持解除位置から前記保持位置に移動すると、前記プリント配線板の前記第３配線側端子部が前記第３支持手段の前記第３治具側端子部に電気的に接続されることを特徴とする。
【００１３】
また、本発明の請求項７に記載の検査治具では、前記保持手段には、前記プリント配線板の他面に対向して配設された第４支持手段が設けられ、前記第４支持手段には、前記プリント配線板の他面に設けられた第４配線板側端子部に対応する第４治具側端子部が支持されており、
前記プリント配線板を前記保持手段に保持させると、前記プリント配線板の前記第４配線板側端子部が前記第４支持手段の前記第４治具側端子部に電気的に接続されることを特徴とする。
【００１４】
また、本発明の請求項８に記載の検査治具では、前記第１支持手段に関連して、前記第１支持手段の前記プリント配線板の片面に近接する方向への移動を阻止するための移動阻止機構が設けられ、前記移動阻止機構は、前記保持手段に設けられたロック部材と、前記第１支持手段に設けられた凹部又は開口部と、を有し、前記ロック部材は、前記保持手段から前記第１支持手段に向けて延びており、
前記保持手段が前記保持位置に位置付けられると、前記ロック部材の先端部が前記第１支持手段の前記凹部又は開口部に挿通可能となり、これにより前記第１支持手段の前記プリント配線板の片面に近接する方向への移動が許容され、また前記保持手段が前記保持位置から前記保持解除位置に向けて移動すると、前記ロック部材の先端部が前記第１支持手段の下面に対向され、これにより前記第１支持手段の前記プリント配線板の片面に近接する方向への移動が阻止されることを特徴とする。
【発明の効果】
【００１５】
本発明の請求項１に記載の検査治具によれば、第１支持手段のプリント配線板の片面に近接する方向への移動を第２支持手段のプリント配線板の一側部に近接する方向への移動に連動させる連動機構を備えている。この連動機構により、第１支持手段の上記移動に連動して第２支持手段がプリント配線板の一側部に近接する方向に移動し、第１支持手段の第１治具側端子部がプリント配線板の第１配線板側端子部に電気的に接続されるとともに、第２支持手段の第２治具側端子部がプリント配線板の第２配線板側端子部に電気的に接続される。従って、プリント配線板に対する電気的接続作業を少なくとも二方向（即ち、片面側及び一側部側）から一度に行うことができ、プリント配線板の通電検査を効率良く行うことができる。
【００１６】
また、本発明の請求項２に記載の検査治具によれば、連動機構は、第１支持手段に設けられた押圧部材と、第２支持手段に回転自在に設けられたローラ部材と、を有し、押圧部材には、第１支持手段の移動方向に対して傾斜する傾斜面が形成されている。これにより、第１支持手段がプリント配線板の片面に近接する方向に移動すると、押圧部材の傾斜面がローラ部材をプリント配線板の一側部に近接する方向に押圧するようになる。従って、連動機構の構成を比較的簡単なものとすることができるとともに、第１支持手段と第２支持手段との連動を確実に行うことができる。
【００１７】
また、本発明の請求項３に記載の検査治具によれば、第１支持手段には、第２治具側端子部と第２配線板側端子部との電気的接続の解除を補助するための解除補助部材が設けられ、解除補助部材には、第１支持手段の移動方向に対して傾斜する傾斜面が形成されている。これにより、第１支持手段がプリント配線板の片面より離隔する方向に移動すると、解除補助部材の傾斜面がローラ部材をプリント配線板の一側部より離隔する方向に押圧するようになる。従って、第１支持手段の上記移動に連動して、第２支持手段の第２治具側端子部とプリント配線板の第２配線板側端子部との電気的接続を確実に解除することができる。
【００１８】
また、本発明の請求項４に記載の検査治具によれば、第２支持手段をプリント配線板の一側部より離隔する方向に弾性的に偏倚する弾性偏倚手段が設けられている。これにより、第２支持手段の第２治具側端子部とプリント配線板の第２配線板側端子部との電気的接続が解除された際に、弾性偏倚手段の弾性偏倚力によって第２支持手段をプリント配線板の一側部から離隔する方向に移動させることができる。
【００１９】
また、本発明の請求項５に記載の検査治具によれば、保持手段は、プリント配線板を検査位置に保持する保持位置と、プリント配線板を検査位置から引き出す保持解除位置との間を往復移動自在に構成されているので、保持手段を保持位置から保持解除位置に移動させることにより、プリント配線板の保持手段に対する保持及び取り出しを容易に行うことができる。
【００２０】
また、本発明の請求項６に記載の検査治具によれば、検査位置に保持されたプリント配線板の一側端部に対向して配設された第３支持手段を更に備え、第３支持手段には、プリント配線板の一側端部に設けられた第３配線板側端子部に対応する第３治具側端子部が支持されている。これにより、保持手段が保持解除位置から保持位置に移動すると、この移動に伴ってプリント配線板の第３配線側端子部が第３支持手段の第３治具側端子部に電気的に接続されるようになり、プリント配線板に対する電気的接続作業を少なくとも三方向（即ち、片面側、一側部側及び一側端部側）から一度に行うことができる。従って、プリント配線板の通電検査をより効率良く行うことができる。
【００２１】
また、本発明の請求項７に記載の検査治具によれば、保持手段には、プリント配線板の他面に対向して配設された第４支持手段が設けられ、第４支持手段には、プリント配線板の他面に設けられた第４配線板側端子部に対応する第４治具側端子部が支持されている。これにより、プリント配線板を保持手段に保持させると、プリント配線板の第４配線板側端子部が第４支持手段の第４治具側端子部に電気的に接続されるようになり、プリント配線板に対する電気的接続作業を少なくとも四方向（即ち、片面側、他面側、一側部側及び一側端部側）から一度に行うことができる。従って、プリント配線板の通電検査をより一層効率良く行うことができる。
【００２２】
また、本発明の請求項８に記載の検査治具によれば、保持手段が保持位置に位置付けられていないときには、移動阻止機構によって第１支持手段のプリント配線板の片面に近接する方向への移動が阻止される。これにより、プリント配線板が検査位置に正しく保持された状態において、第１支持手段がプリント配線板の片面に近接する方向に移動されるようになり、第１治具側端子部と第１配線板側端子部との電気的接続及び第２治具側端子部と第２配線板側端子部との電気的接続を正確に行うことができる。
【図面の簡単な説明】
【００２３】
【図１】本発明の第１の実施形態による検査治具を示す斜視図である。
【図２】保持手段を保持解除位置に引き出した状態での検査治具を示す斜視図である。
【図３】プリント配線板の通電検査前における検査治具を示す断面図である。
【図４】第２支持手段が第１支持手段の移動に連動して移動し始めた状態での検査治具を示す断面図である。
【図５】プリント配線板の通電検査時における検査治具を示す断面図である。
【図６】本発明の第２の実施形態によるプリント配線板の通電検査前における検査治具を示す上面図である。
【図７】プリント配線板の通電検査時における検査治具を示す上面図である。
【発明を実施するための形態】
【００２４】
以下、添付図面を参照して、本発明に従う検査治具の各種実施形態について説明する。
［第１の実施形態］
まず、図１〜図５を参照して、第１の実施形態の検査治具について説明する。図１は、本発明の第１の実施形態による検査治具を示す斜視図であり、図２は、保持手段を保持解除位置に引き出した状態での検査治具を示す斜視図であり、図３は、プリント配線板の通電検査前における検査治具を示す断面図であり、図４は、第２支持手段が第１支持手段の移動に連動して移動し始めた状態での検査治具を示す断面図であり、図５は、プリント配線板の通電検査時における検査治具を示す断面図である。
【００２５】
本実施形態の検査治具２は、プリント配線板４を通電検査するためのものである。まず、本実施形態のプリント配線板４の構成について説明する。図２を参照して、プリント配線板４の片面（上面）の略中央部には、複数（本実施形態では３個）の第１配線板側端子部６が設けられ、この第１配線板側端子部６はピンソケットから構成されている。プリント配線板４の一側部には、複数（本実施形態では３個）の第２配線板側端子部８ａが設けられ、この第２配線板端子部８ａはピンソケットから構成されている。プリント配線板４の他側部には、１個の第２配線板側端子部８ｂが設けられ、この第２配線板側端子部８ｂはコネクタソケットから構成されている。また、プリント配線板４の四隅にはそれぞれ、円形状の位置決め用貫通孔１０が設けられている。なお、図示しないが、プリント配線板４には、配線パターンが配設されているとともに、複数の電子部品等が実装されている。
【００２６】
図１を参照して、図示の検査治具２はベースプレート１２を備え、ベースプレート１２の両側部にはそれぞれ上方に向けて延びるガイド部１４が設けられている。一対のガイド部１４の間には、第１支持手段１６が上下方向に往復移動自在に支持されている。第１支持手段１６は第１支持プレート１８から構成され、この第１支持プレート１８は、ベースプレート１２に対向するようにして配設されている。各ガイド部１４には、第１支持プレート１８を上下方向に往復移動させるための第１移動機構（図示せず）が設けられ、この第１移動機構は、例えばクランク駆動機構等から構成される。また、一方のガイド部１４には、第１支持プレート１８を移動操作するための操作用レバー２０が回動自在に設けられている。この操作用レバー２０を回動すると、各ガイド部１４の第１移動機構が連動して駆動するように構成されている。操作用レバー２０を手前側（図１中の矢印Ｐで示す方向）に回動すると、第１支持プレート１８が一対のガイド部１４に沿ってベースプレート１２に近接する方向（図１及び図４中の矢印Ｒで示す方向）に下降する。また、操作用レバー２０を奥側（図１中の矢印Ｑで示す方向）に回動すると、第１支持プレート１８が一対のガイド部１４に沿ってベースプレート１２から離隔する方向（図１中の矢印Ｓで示す方向）に上昇する。
【００２７】
第１支持プレート１８の下面には、一対のローラ部材６２ａ，６２ｂ（後述する）に対応して、一対の押圧部材２２ａ，２２ｂ及び一対の解除補助部材２４ａ，２４ｂがそれぞれ間隔を置いて設けられている（図１及び図３参照）。押圧部材２２ａ，２２ｂは三角形状のプレート状に構成され、ベースプレート１２に向けて延びている。押圧部材２２ａ，２２ｂには、第１支持プレート１８の移動方向に対して外側（即ち、第１支持プレート１８の外周側）に下り傾斜する傾斜面２６ａ，２６ｂが設けられている。一対の押圧部材２２ａ，２２ｂは、それらの傾斜面２６ａ，２６ｂが相互に内側（即ち、第１支持プレート１８の外周側と反対側）を向くようにして配設されている。また、解除補助部材２４ａ，２４ｂは鉤爪状に構成され、ベースプレート１２に向けて延びている。解除補助部材２４ａ，２４ｂの先端部には、第１支持プレート１８の移動方向に対して外側に向けて下り傾斜する傾斜面２８ａ，２８ｂが形成されている。一対の解除補助部材２４ａ，２４ｂは、一対の押圧部材２２ａ，２２ｂの間に配設されるとともに、それらの傾斜面２８ａ，２８ｂが相互に外側を向くようにして配設されている。
【００２８】
また、第１支持プレート１８の下面には、検査位置（後述する）に保持されたプリント配線板４の複数の第１配線板側端子部６に対応して、複数（本実施形態では３個）の第１治具側端子部３０が設けられている。本実施形態では、第１治具側端子部３０はプローブピンから構成され、この第１治具側端子部３０はコネクタ及びリード線（図示せず）を介して通電検査装置（図示せず）に電気的に接続されている。更に、第１支持プレート１８の一側端部には、半円状の切り欠きから構成される凹部３２（後述する）が設けられている。
【００２９】
ベースプレート１２の上面には、上述したプリント配線板４を検査位置に保持するための保持手段３４が設けられている。保持手段３４は、上下に相互に対向して配設された上側保持プレート３６及び下側保持プレート３８を有している。上側保持プレート３６の一側端部は、下側保持プレート３８の一側端部に一対の蝶番４０を介して取り付けられており、これにより上側保持プレート３６は、下側保持プレート３８に対して自在に回動される。上側保持プレート３６には、プリント配線板４の複数の第１配線板側端子部６に対応して、矩形状の開口部４２が設けられている。また、上側保持プレート３６及び下側保持プレート３８の各他側端部にはそれぞれ操作用取っ手４４，４６が設けられている。
【００３０】
上側保持プレート３６の下面には、プリント配線板４を上側より押圧するための複数の押圧ピン（図示せず）が設けられている。これに対応して、下側保持プレート３８の上面には、プリント配線板４を下側より支持するための複数のスプリングピン（図示せず）が設けられている。また、下側保持プレート３８の上面における四隅にはそれぞれ、プリント配線板４の位置決め用貫通孔１０に対応して位置決め用ピン４８が設けられている。
【００３１】
ベースプレート１２の上面には、一対のガイドレール５０が間隔を置いて敷設されている。下側保持プレート３８は、これら一対のガイドレール５０に移動自在に装着されている。これにより、保持手段３４は、プリント配線板４を検査位置に保持する保持位置（図１参照）と、プリント配線板４を検査位置から引き出す保持解除位置（図２参照）との間を往復移動される。なお、プリント配線板４が検査位置に保持されると、第１配線板側端子部６が第１治具側端子部３０に対向して配設されるとともに、第２配線板側端子部８ａ，８ｂがそれぞれ第２治具側端子部５８ａ，５８ｂ（後述する）に対向して配設されるようになる。
【００３２】
プリント配線板４を検査位置に保持する際には、まず、保持手段３４を手前側（図２中の矢印Ｔで示す方向）に移動させて保持解除位置に位置付ける。そして、上側保持プレート３６を下側保持プレート３８に対して上側（図２中の矢印Ｕで示す方向）に回動させて、下側保持プレート３８の上面を開放する（図２参照）。この状態で、プリント配線板４の４つの位置決め用貫通孔１０にそれぞれ位置決め用ピン４８を挿通させ、プリント配線板４を下側保持プレート３８に対して位置決め保持させる。その後、上側保持プレート３６を下側保持プレート３８に対して下側（図２中の矢印Ｖで示す方向）に回動させて、上側保持プレート３６をプリント配線板４の片面に近接して対向させる。更にその後、図示しないロック機構によって、上側保持プレート３６の下側保持プレート３８に対する回動をロックする。この状態では、プリント配線板４の複数の第１配線板側端子部６が上側保持プレート３６の開口部４２を通して外部に露出される。また、複数の押圧ピンによりプリント配線板４が上側より押圧されるとともに、複数のスプリングピンによりプリント配線板４が下側より支持される。その後、保持手段３４を奥側（図２中の矢印Ｗで示す方向）に移動させて保持位置に位置付けることにより、プリント配線板４が検査位置に保持される。
【００３３】
また、下側保持プレート３８の一側端部には、第１支持プレート１８に向けて延びるロックピン５２（ロック部材を構成する）が設けられている。第１支持プレート１８が最も上側に移動した状態（図１〜図３参照）において、ロックピン５２の先端部は、第１支持プレート１８の下面よりも幾分下方に位置付けられる。このロックピン５２及び第１支持プレート１８の凹部３２によって、第１支持プレート１８のベースプレート１２に近接する方向への移動を阻止するための移動阻止機構が構成される。保持手段３４が保持位置に位置付けられると、ロックピン５２の先端部が第１支持プレート１８の凹部３２に挿通可能となり（図１参照）、これにより第１支持プレート１８のベースプレート１２に近接する方向への移動が許容される。また、保持手段３４が保持位置から保持解除位置に向けて移動すると、ロックピン５２の先端部が第１支持プレート１８の下面に対向され、これにより第１支持プレート１８のベースプレート１２に近接する方向への移動が阻止される。
【００３４】
ベースプレート１２の上面における一対のガイドレール５０の外側にはそれぞれ、第２支持手段５４ａ，５４ｂが配設されている。第２支持手段５４ａ（５４ｂ）は、第２支持プレート５６ａ（５６ｂ）と、第２支持プレート５６ａ（５６ｂ）の一側部に設けられた複数の第２治具側端子部５８ａ（１個の第２治具側端子部５８ｂ）と、第２支持プレート５６ａ（５６ｂ）の上面に支持された軸受部材６０ａ（６０ｂ）と、軸受部材６０ａ（６０ｂ）に回転自在に支持されたローラ部材６２ａ（６２ｂ）と、を有している。複数の第２治具側端子部５８ａ（第２治具側端子部５８ｂ）は、検査位置に保持されたプリント配線板４の一側部（他側部）に設けられた複数の第２配線板側端子部８ａ（第２配線板側端子部８ｂ）に対応して設けられている。本実施形態では、第２治具側端子部５８ａはプローブピンから構成され、第２治具側端子部５８ｂはコネクタプラグから構成されており、これら第２治具側端子部５８ａ，５８ｂはそれぞれコネクタ及びリード線（図示せず）を介して通電検査装置（図示せず）に電気的に接続されている。第２支持プレート５６ａ，５６ｂ及びベースプレート１２の各上面には支持ピン６４，６６が設けられ、これら支持ピン６４，６６にはコイルばね６８ａ，６８ｂ（弾性偏倚手段を構成する）の各端部が支持されている。このコイルばね６８ａ（６８ｂ）によって、第２支持プレート５６ａ（５６ｂ）は、検査位置に保持されたプリント配線板４の一側部（他側部）から離隔する方向に弾性的に偏倚されている。
【００３５】
また、第２支持手段５４ａ，５４ｂを水平方向に往復移動させるための第２移動機構７０ａ，７０ｂが設けられている。この第２移動機構７０ａ（７０ｂ）は、ベースプレート１２の上面に間隔を置いて敷設された一対のガイドレール７２ａ（７２ｂ）から構成されている。第２支持プレート５６ａ（５６ｂ）は、これら一対のガイドレール７２ａ（７２ｂ）に移動自在に装着されている。これにより、第２支持手段５４ａ（５４ｂ）は、検査位置に保持されたプリント配線板４の一側部（他側部）に近接する方向（図１及び図４中の矢印Ｘで示す方向）と、このプリント配線板４の一側部（他側部）より離隔する方向（図１中の矢印Ｙで示す方向）とに移動される。
【００３６】
更に、第２支持手段５４ａ（５４ｂ）に関連して、第１支持プレート１８のプリント配線板４の片面に近接する方向への移動を第２支持手段５４ａ（５４ｂ）のプリント配線板４の一側部（他側部）に近接する方向に連動させるための連動機構が設けられている。この連動機構は、第１支持プレート１８に設けられた押圧部材２２ａ，２２ｂと、第２支持手段５４ａ，５４ｂに設けられたローラ部材６２ａ，６２ｂとから構成される。この連動機構による第１支持プレート１８と第２支持手段５４ａ，５４ｂとの連動については、後述する。
【００３７】
上述した検査治具２を用いたプリント配線板４の通電検査は、次のようにして行われる。まず、上述したようにして、プリント配線板４を保持手段３４により検査位置に保持させる。この状態では、第１支持プレート１８は、検査位置に保持されたプリント配線板４の片面に対向するようにして配設され、また第２支持手段５４ａ（５４ｂ）は、このプリント配線板４の一側部（他側部）に対向するようにして配設される。
【００３８】
この状態で操作用レバー２０を手前側に回動すると、第１支持プレート１８がプリント配線板４の片面に近接する方向に移動される。このように移動されると、一対の押圧部材２２ａ，２２ｂがそれぞれ対応する一対のローラ部材６２ａ，６２ｂに近接し、押圧部材２２ａ（２２ｂ）の傾斜面２６ａ（２６ｂ）がローラ部材６２ａ（６２ｂ）をプリント配線板４の一側部（他側部）に近接する方向に押圧するようになる（図４参照）。これにより、ローラ部材６２ａ（６２ｂ）が押圧部材２２ａ（２２ｂ）に対してその傾斜面２６ａ（２６ｂ）上を回転しながらスライドするようになり、第２支持手段５４ａ（５４ｂ）がプリント配線板４の一側部（他側部）に近接する方向に移動する。
【００３９】
このように第１支持プレート１８及び一対の第２支持手段５４ａ，５４ｂがそれぞれ移動することによって、複数の第１治具側端子部３０が開口部４２を通して複数の第１配線板側端子部６に差し込まれ、両者が電気的に接続される。これとともに、複数の第２治具側端子部５８ａが複数の第２配線板側端子部８ａに差し込まれて両者が電気的に接続され、第２治具側端子部５８ｂが第２配線板側端子部８ｂに差し込まれて両者が電気的に接続される（図５参照）。従って、本実施形態の検査治具２では、プリント配線板４に対する電気的接続作業を三方向（即ち、片面側、一側部側及び他側部側）から一度に行うことができる。この状態で、通電検査装置（図示せず）からの電気信号が第１治具側端子部３０を介して第１配線板側端子部６に供給されるとともに、第２治具側端子部５８ａ，５８ｂを介して第２配線板側端子部８ａ，８ｂにそれぞれ供給され、プリント配線板４の通電検査が行われる。
【００４０】
通電検査が完了すると、操作用レバー２０を奥側に回動して、第１支持プレート１８をプリント配線板４の片面から離隔する方向に移動させる。このように移動させると、複数の第１治具側端子部３０が複数の第１配線板側端子部６より引き抜かれ、両者の電気的接続が解除される。また、解除補助部材２４ａ（２４ｂ）の傾斜面２８ａ（２８ｂ）は、ローラ部材６２ａ（６２ｂ）をプリント配線板４の一側部（他側部）より離隔する方向に押圧する。これにより、複数の第２治具側端子部５８ａが複数の第２配線板側端子部８ａより引き抜かれて両者の電気的接続が解除されるとともに、第２治具側端子部５８ｂが第２配線板側端子部８ｂより引き抜かれて両者の電気的接続が解除される。そして、コイルばね６８ａ（６８ｂ）の弾性偏倚力によって、第２支持手段５４ａ（５４ｂ）がプリント配線板４の一側部（他側部）より離隔する方向に移動される。その後、保持手段３４を保持位置から保持解除位置に移動させ、検査済みのプリント配線板４が保持手段３４より取り出される。
［第２の実施形態］
次に、図６及び図７を参照して、第２の実施形態の検査治具について説明する。図６は、本発明の第２の実施形態によるプリント配線板の通電検査前における検査治具を示す上面図であり、図７は、プリント配線板の通電検査時における検査治具を示す上面図である。なお、本実施形態において、上記実施形態と実質上同一の構成要素には同一の符号を付し、その説明を省略する。
【００４１】
本実施形態のプリント配線板４Ａの一側端部には、１個の第３配線板側端子部７４が設けられており、この第３配線板端子部７４はコネクタソケットから構成されている。プリント配線板４Ａの他の構成は、上記実施形態と同様である。
【００４２】
また、本実施形態の検査治具２Ａでは、ベースプレート１２Ａの一側端部には、上方に向けて延びる第３支持手段７６が設けられている。第３支持手段７６は第３支持プレート７８から構成され、この第３支持プレート７８は、検査位置に保持されたプリント配線板４Ａの一側端部に対向して配設されている。第３支持プレート７８には、プリント配線板４Ａの第３配線板側端子部７４に対応して第３治具側端子部８０が設けられている。この第３治具側端子部８０はコネクタプラグから構成され、この第３治具側端子部８０はコネクタ及びリード線（図示せず）を介して通電検査装置（図示せず）に電気的に接続されている。
【００４３】
保持手段３４を保持解除位置から保持位置に移動させると、第３治具側端子部８０が第３配線板側端子部７４に差し込まれて両者が電気的に接続される。従って、本実施形態の検査治具２Ａでは、プリント配線板４Ａに対する電気的接続作業を四方向（即ち、片面側、一側部側、他側部側及び一側端部側）から一度に行うことができる。
【００４４】
なお、図示しないが、本実施形態において、保持手段３４の下側保持プレート３８（第４支持手段を構成する）の上面に第４治具側端子部（例えば、プローブピン等）を設けるように構成してもよい。このように構成した場合には、プリント配線板４Ａを保持手段３４に保持させた際に、プリント配線板４Ａの他面（下面）に設けられた第４配線板側端子部（例えば、電源パターンや接地パターン等）が上述した第４治具側端子部に接触され、両者が電気的に接続されるようになる。これにより、プリント配線板４Ａに対する電気的接続作業を五方向（即ち、片面側、他面側、一側部側、他側部側及び一側端部側）から一度に行うことができる。
【００４５】
このように構成した場合には、通電検査装置にコネクタ及びリード線を介して電気的に接続されたプローブピンを第１支持プレート１８に設けるとともに、第４治具側端子部にコネクタ及びリード線を介して電気的に接続されたプローブソケットを下側保持プレート３８に設けることが好ましい。第１支持プレート１８がプリント配線板４Ａに近接する方向に移動すると、第１支持プレート１８のプローブピンが上側保持プレート（図示せず）に設けられた開口部を通して下側保持プレート３８のプローブソケットに差し込まれ、両者が電気的に接続される。これにより、通電検査装置からの電気信号がプローブピン、プローブソケット及び第４治具側端子部を介して第４配線板側端子部に供給される。このように構成することによって、保持手段３４を保持位置と保持解除位置との間を往復移動させた場合であっても、第４治具側端子部と通電検査装置との間の電気配線（リード線等）にテンションがかかることがなく、この電気配線が断線するのを防止することができる。
【００４６】
以上、本発明に従う検査治具の各種実施形態について説明したが、本発明はかかる実施形態に限定されるものではなく、本発明の範囲を逸脱することなく種々の変形乃至修正が可能である。
【００４７】
上記各実施形態では、第１支持プレート１８に移動阻止機構としての凹部３２を設けるように構成したが、この凹部に代えて例えば円形状の開口部を設けるように構成してもよい。
【００４８】
また、上記各実施形態では、プリント配線板４（４Ａ）の両側部に対向して一対の第２支持手段５４ａ，５４ｂを設けるように構成したが、これらのうち一方を省略し、プリント配線板４（４Ａ）の一側部に対向して第２支持手段５４ａを設けるように構成してもよい。このように構成した場合には、プリント配線板４（４Ａ）の他側部を押圧支持するための押圧支持部材をプリント配線板４（４Ａ）の他側部に対向して配設するのが好ましい。
【００４９】
また、上記各実施形態では、第２治具側端子部５８ａ，５８ｂと第２配線板側端子部８ａ，８ｂとの電気的接続の解除を補助するための解除補助部材を設けるように構成したが、この解除補助部材を省略するように構成してもよい。このように構成した場合には、コイルばね６８ａ，６８ｂの弾性偏倚力によって、第２治具側端子部５８ａ，５８ｂと第２配線板側端子部８ａ，８ｂとの電気的接続が解除されるようになる。
【符号の説明】
【００５０】
２，２Ａ  検査治具
４，４Ａ  プリント配線板
６  第１配線板側端子部
８ａ，８ｂ  第２配線板側端子部
１６  第１支持手段
２２ａ，２２ｂ  押圧部材
２４ａ，２４ｂ  解除補助部材
２６ａ，２６ｂ  傾斜面
２８ａ，２８ｂ  傾斜面
３０  第１治具側端子部
３２  凹部
３４  保持手段
５４ａ，５４ｂ  第２支持手段
５８ａ，５８ｂ  第２治具側端子部
６２ａ，６２ｂ  ローラ部材
６８ａ，６８ｂ  コイルばね
７０ａ，７０ｂ  第２移動機構
７４  第３配線板側端子部
７６  第３支持手段
８０  第３治具側端子部
【図１】
0005480173.tif 000002
【図２】
0005480173.tif 000003
【図３】
0005480173.tif 000004
【図４】
0005480173.tif 000005
【図５】
0005480173.tif 000006
【図６】
0005480173.tif 000007
【図７】
0005480173.tif 000008